(57)【要約】【課題】フラットベッドスキャナ（以下、ＦＢＳと言う）式の原稿読取部を備えた原稿読取装置に係り、原稿読取の終了後に原稿置き忘れを電子メールにより通知する原稿読取装置を提供する。【解決手段】原稿読取部１は原稿有無を検出するセンサ２と原稿蓋Ａの開閉を検出するセンサ３とを備え、原稿台１ａに原稿がセットされ原稿の読取終了後の所定時間経過後に、これらセンサによって原稿が除去されていないと原稿残留検出部が判断したときには、電子メールにより原稿の置き忘れを通知する電子メール通信部８ａを備える。【選択図】図２
2004173169.tif 000002
【特許請求の範囲】
【請求項１】
原稿台上にセットされた原稿を読み取る原稿読取部と、電子メールを送信する電子メール送信部とを備えた原稿読取装置において、
上記原稿読取部は、上記原稿台における上記原稿の残留を検出する原稿残留検出部を備えており、
上記原稿台上にセットされた原稿の読取終了後の所定時間経過後に、上記原稿残検出部によって、原稿の残留が検出されているときには、上記電子メール送信部によって、その旨を電子メールで通知することを特徴とする原稿読取装置。
【請求項２】
請求項１において、上記原稿残留検出部は、上記原稿台上の原稿有無を検出する原稿有無検出センサと、原稿蓋の開閉を検出する原稿蓋開閉検出センサとを備えており、上記原稿有無検出センサが原稿ありを検出し、且つ、原稿蓋開閉検出センサが原稿蓋の閉状態を検出したときには原稿残留とする一方、原稿蓋開閉検出センサが上記原稿蓋の開状態を検出したときには原稿非残留とする構成とした原稿読取装置。
【請求項３】
請求項１または請求項２において、
上記電子メールの宛先は、予め登録した電子メールアドレスであることを特徴とした原稿読取装置。
【発明の詳細な説明】
【０００１】
【発明の属する技術分野】
本発明は、フラットベットスキャナ（以下、ＦＢＳと言う）式の原稿読取部を備えた原稿読取装置に係り、更に詳しくは原稿読取の終了後に原稿台上の原稿の置き忘れを電子メールで通知する原稿読取装置に関する。
【０００２】
【従来の技術】
上記ＦＢＳ式原稿読取部は、原稿台上に原稿を置き、原稿蓋を閉じた状態で、スキャナを走査させることによって原稿画像を読み取るものである。このスキャナ走査は、原稿台固定・スキャナ移動方式のものと、スキャナ固定・原稿台移動方式のものがある。従来より、上記ＦＢＳ式原稿読取部を備えたコピー機等では、読取済みの原稿を置き忘れる不都合を解決するために、原稿読取動作終了後に原稿台にセットした原稿を一定時間放置した場合、警告音や表示、ユーザへの通知によって原稿の置き忘れを報知する機能をもつものがあった。下記特許文献には、このような機能を持つコピー機が開示されており、コピー終了後所定時間経過後に原稿蓋を開けないでいる場合等に原稿置き忘れの警告を発生する警告装置（例えば、特許文献１参照。）や、原稿の置き忘れをユーザの携帯無線端末へ通知できる画像処理装置（例えば、特許文献２参照。）が記載されている。
【特許文献１】
特開昭５３−１３２３５０号公報
【特許文献２】
特開平１１−３３８３１７号公報
【０００３】
【発明が解決しようとする課題】
ところが、上記のような警告報知手段は周りに知らせるものであったり、ユーザの携帯無線端末へ通知するものであり、電子メールで原稿台上の原稿置き忘れを報知するものではなかった。ファクシミリ送信や外部情報端末へ原稿画像等を送出する場合、原稿台上に原稿をセットし通信釦を操作すれば、その目的を果たすことができ、コピー操作のようにコピー紙の排出を待たなくて良いから、つい釦操作をすればその場を離れてしまうことが往々にしてある。特に、原稿蓋を閉じて原稿読取を行うから、原稿が目に入らず、原稿台上に原稿を置き忘れたままにしてしまうことが多々ある。
【０００４】
本発明は、上記事情を考慮してなされたものであり、ＦＢＳで読取った原稿画像をファクシミリ通信や外部情報端末へ送出する場合に、原稿読取終了後の原稿置き忘れを電子メールで通知する機能を備えた原稿読取装置を提供することを目的としている。
【０００５】
【課題を解決するための手段】
上記目的を達成するために、本発明の請求項１に記載の原稿読取装置は、原稿台上にセットされた原稿を読み取る原稿読取部と、電子メールを送信する電子メール送信部とを備えた原稿読取装置において、原稿読取部は、原稿台における原稿の残留を検出する原稿残留検出部を備えており、原稿台上にセットされた原稿の読取終了後の所定時間経過後に、上記原稿残検出部によって、原稿の残留が検出されているときには、上記電子メール送信部によって、その旨を電子メールで通知することを特徴とする。
【０００６】
請求項２に記載の原稿読取装置は、上記原稿残留検出部は、上記原稿台上の原稿有無を検出する原稿有無検出センサと、原稿蓋の開閉を検出する原稿蓋開閉検出センサとを備えており、上記原稿有無検出センサが原稿ありを検出し、且つ、原稿蓋開閉検出センサが原稿蓋の閉状態を検出したときには原稿残留とする一方、原稿蓋開閉検出センサが上記原稿蓋の開状態を検出したときには原稿非残留とする構成とする。
【０００７】
請求項３に記載の原稿読取装置は、原稿の置き忘れを通知する電子メールの宛先は、予め登録した電子メールアドレスであることを特徴とする。
【０００８】
【発明の実施の形態】
以下に、本発明の実施の形態について、図面とともに説明する。図１は、本発明のメール送信機能を備えた原稿読取装置Ｆの一例である。この原稿読取装置Ｆは、自動原稿送り装置（ＡＤＦ）の機能とフラットベッドスキャナ（ＦＢＳ）の機能とを持っているものである。本発明の報知機能はフラットベッドスキャナ（ＦＢＳ）により、原稿を読取る場合に適用されるものである。
【０００９】
図１（ａ）は原稿読取装置Ｆの概略正面図、同（ｂ）は側面図、同（ｃ）は原稿蓋開閉検出センサ部分の拡大正面図である。１は上面がガラス板から成る原稿台１ａとされた原稿読取部本体、Ａは原稿台Ｂ上に置かれた原稿を押圧すべく原稿読取部本体１の側辺に開閉自在に取付けられた原稿蓋、Ｓは蛍光灯等による光源（不図示）とＣＣＤ（不図示）とをユニット化した走査体である。また、２は原稿台１ａ上の原稿有無を検出する原稿有無検出センサ、３は原稿蓋Ａの開閉状態を検出する原稿蓋開閉検出センサである。
【００１０】
上記走査体Ｓは、光源からの光を原稿に照射し、その反射光をＣＣＤに受光させて電気信号としての画情報に変換するものである。原稿台Ｂ上に置かれたＦＢＳ原稿Ｄ１を走査する場合、走査体Ｓは、待機位置Ｐ１からＰ２位置へ原稿台１ａの下面を平行に走行し、その間原稿Ｄ１の画情報を読み取る。また、ＡＤＦ原稿Ｄ２を走査する場合、走査体ＳがＰ３位置に移行してこの位置で静止し、ＡＤＦトレイＴ上に置かれたＡＤＦ原稿Ｄ２が給送ローラＲにより矢印のように給送される間、その画情報が読み取られる。
【００１１】
原稿蓋開閉検出センサ３は、原稿蓋Ａ内に設置された発光素子３ａ及び受光素子３ｂと、原稿読取部本体１上に設置された板状のセンサフィラー３ｃとよりなる。これらの設置位置は逆でもよい。原稿蓋Ａが閉じられると発光素子３ａからの照射光はセンサフィラー３ｃにより遮断されるから受光素子３ｂは受光せず、これにより原稿蓋Ａが閉じられていることが検出される。また、原稿蓋Ａが開けられると発光素子３ａからの照射光はセンサフィラー３ｃにより遮断されず、受光素子３ｂは照射光を受光し、これにより原稿蓋Ａが開けられたことが検出される。図１（ｂ）（ｃ）は原稿蓋Ａが開いた状態を示す。
【００１２】
原稿有無検出センサ２は、原稿台１ａの側部等に設置されるもので、反射式、受光式或いはリミットスイッチ等公知のセンサが採用される。また、上記走査体Ｓを原稿台１ａに沿って走行させ、この走査情報によって原稿有無を検出することで代用させることも可能である。
【００１３】
図２は、本発明の原稿読取装置Ｆの内部構成を示すブロック図である。なお、ここでは、原稿読取装置Ｆとしてファクシミリ通信機能や外部情報端末への送出機能を備えたものを示しているが、本発明はこれには限られず、コピー機能をも備えたものとすることもでき、いずれも、メール通信機能を有していればよい。この原稿読取装置Ｆにおいて、１はセットされた原稿から画像データを読み取る原稿読取部で、４は画像液晶ディスプレイなどで構成される表示部、５は各種キーなどで構成された操作部と、６は画像データの符号化、復号をするコーデック、７は警告音や音声メッセージなどを出力するための音出力部、８は信号線Ｎ（通信ケーブル）を介してパソコンなどの外部情報端末を接続し、その外部情報端末との間で信号を伝送するための外部インタフェース部、９はＣＰＵ等で構成され、各部を制御する主制御部、１０は電話回線Ｌにダイヤル信号を送出しり、電話回線Ｌに対する接続制御を行うＮＣＵ、１１はファクシミリ通信を行うために信号の変調と復調を行うモデム、１２は符号化した画像データを一時格納する画像メモリ、１３は各種データを記憶するためのＲＡＭ、１４は制御プログラムなどを予め記憶したＲＯＭ、１５は原稿から画像データを読み取り、画像データに変換するスキャナである。
【００１４】
このとき、外部インターフェイス８には原稿置き忘れを通知する電子メール通信部８ａを備えており、原稿読取部１には、少なくとも原稿の有無を検出する原稿有無検出センサ２と原稿蓋Ａの開閉を検出する原稿蓋開閉検出センサ３の感知を制御する原稿残留検出部１ａを備えている。この原稿残留検出部１ａは、原稿の残留を原稿蓋の開閉で検知しようというものである。すなわち原稿読取終了後において、原稿蓋Ａが開いたと原稿蓋開閉検出センサ３が感知した場合は原稿は取り除かれているはずなので原稿非残留とする一方、原稿蓋開閉検出センサ３が原稿読取終了後においても、感知しない場合は原稿残留とする。主制御部９は、原稿の読取終了後に所定時間を計時するタイマ部（不図示）と原稿の置き忘れを感知した原稿残留検出部１ａとを制御し、原稿読取終了後、所定時間経過しても、原稿の置き忘れがあればＲＡＭ１３の電子メールアドレス記憶部１３ａに記憶された所定のアドレスへ電子メール通信部８ａより電子メールで置き忘れを通知する。電子メールアドレス記憶部１３ａには、予め原稿置き忘れの通知先のアドレスを操作部５から登録し、記憶させておく。この通知先のアドレスは、たとえば会社内における管理者のアドレスであってもよい。これによれば、管理者が統括した形で原稿の置き忘れを管理することができる。また、ユーザの登録機能を備えたものであれば、ユーザＩＤ識別情報の中に個人アドレスをもり込んでおいてもよい。これによれば、暗証番号を入力することで、ユーザを特定できる構成になっているため、原稿を置き忘れした者を特定することが可能である。また、ＩＤカードリーダを備えたものであれば、カード情報の中に個人アドレスをもり込んでもおいてよい。このように個人アドレスが設定できれば、ユーザの個人アドレスに電子メールが通知されるため、原稿読取後すぐに原稿読取装置Ｆから離れ、たとえば警告音等に気付かなくても、自分の外部情報端末の電子メールよる通知で、置き忘れに気付くことができる。
【００１５】
この電子メールのメッセージは変更／追加が可能なＲＡＭ１３に記憶させておいてもよいし、定型文としてＲＯＭ１４に記憶させておいてもよい。
【００１６】
次に、図３に上記動作のフローチャート（１００〜１１０）を示す。
【００１７】
原稿読取部１の原稿台１ａに原稿をセットし、スタートキー５ａを押下し（１００）原稿有無センサ２が原稿有りと判断すると（１０１）原稿読取が開始される（１０２）。一方、ステップ１０１で原稿無しと判断されると、音出力部７のスピーカより警告音が出力され（１０９）、表示部４には「原稿なし」等の文字メッセージが表示される（１１０）。この原稿有無センサ２によれば、原稿を読み取る前に原稿の有無を報知し、その信号を受けた主制御部９は原稿読取部１を動作させず、ファクシミリ送信や外部情報端末への送出を停止するため、誤操作をしても相手先に白紙の原稿やデータのない情報が届くことを防ぐことができる。その間、原稿がセットされてないと気付き、報知を操作部５で解除すると待機画面表示になる（１０８）。
原稿読取が終了すると（１０３）タイマ部が起動し（１０４）、所定時間を計時し始める。この所定時間は、ユーザ側で変更できるよう設定してもよい。所定時間を計時している間、原稿蓋Ａの開が検出されると（１０５）原稿台１ａ上の原稿が取り去られたと判断し待機画面表示になる（１０８）。原稿蓋Ａの開が検出されないまま（１０５）タイムアップすると（１０６）、原稿を置き忘れていると判断し、指定されたアドレスへ「原稿を置き忘れています。」等メッセージを添えた電子メールを送信する（１０７）。電子メールの送信がすれば（１０７）、原稿の置き忘れを通知したことになるので、待機画面表示になる（１０８）。
【００１８】
また、外部情報端末接続部を備えたスキャナの場合は、タイマ部の起動開始時期を原稿読取が終了後、もしくは外部情報端末に読取原稿を送出した後から計時し始めるようにしてもよいし、双方なされるよう設定してもよい。
【００１９】
【発明の効果】
以上の説明からも理解できるように、本発明の請求項１から請求項３に記載の原稿読取装置によれば、警告音等の置き忘れ報知手段に気付かず、原稿読取終了後の原稿を置き忘れたままその場を離れてしまった後に、原稿の置き忘れに気付くことができ、後から使用する人に迷惑をかけることがない。特に、ＦＢＳ上に原稿を置き忘れたまま、後の人がＡＤＦで原稿を送信等しようとする場合、ＦＢＳ上の原稿画情報までも送信されてしまうと言ったトラブルも生じないのである。またＦＢＳを使う場合、ＦＢＳ上に原稿をセットし通信釦を操作すれば、その目的を果たすことができ、コピー操作のようにコピー紙の排出を待たなくて良いから、つい釦操作をすればその場を離れてしまうことが往々にしてあるため、有効である。
【００２０】
また、請求項３によれば、予め登録された管理者等に知らせるため、ユーザが原稿読取装置からすでに離れていたり、そのまま不在になった場合にＦＢＳ上に置き忘れた原稿を除去することができる。また、原稿を置き忘れた者宛に通知できるため置き忘れた当人が気付くことができ、周りに迷惑をかけることがない。
【図面の簡単な説明】
【図１】本発明の原稿読取装置の外観の一例を示す図である。
【図２】本発明の原稿読取装置の基本構成の一例を示す図である。
【図３】本発明の原稿読取装置の動作について説明するためのフローチャートである。
【符号の説明】
Ｆ      原稿読取装置
１      原稿読取部
１ａ    原稿残留検出部
２      原稿有無検出センサ
３      原稿蓋開閉検出センサ
８      外部インターフェイス
８ａ    電子メール通信部
１３    ＲＡＭ
１３ａ  電子メールアドレス記憶部
【図１】
2004173169.tif 000003
【図２】
2004173169.tif 000004
【図３】
2004173169.tif 000005